(57)【特許請求の範囲】
【請求項１】
開閉する扉又は引き出しを備えた家具本体の閉塞時の扉又は引き出しを振動時に開放不能にロックする振動時ロック装置であって、
ロック装置本体は、扉又は引き出しと家具本体のどちらか一方に取り付けられ、
前部に開口が形成されたケースと、
ケース内の前後方向を摺動する摺動部材と、
摺動部材を開口側に付勢する弾性部材と、
摺動部材と連係しており、摺動部材が前方に摺動すると開き、摺動部材が後方に摺動すると閉じる把持アームと、
ケースの底面上を転動する転動体とを有し、
ケースの底面には、非振動時に転動体が摺動部材の摺動を阻止しないようにして静止する所定位置と、振動時に転動体が所定位置から移動して摺動部材の摺動を阻止し、非振動時に転動体を所定位置まで導く傾斜面とが形成されていることを特徴とする振動時ロック装置。
【請求項２】
転動体は、摺動部材が前方に摺動している時、摺動部材に案内されて移動不能となっており、摺動部材が後方に摺動している時、摺動部材から外れて移動可能となるように構成されていることを特徴とする請求項１記載の振動時ロック装置。
【請求項３】
転動体は、摺動部材が前方に摺動している時、摺動部材に形成された収納凹部に収納されて移動不能となっており、摺動部材が後方に摺動している時、摺動部材の収納凹部から外れて移動可能となるように構成されていることを特徴とする請求項１記載の振動時ロック装置。
【請求項４】
摺動部材は、前部材と、後部材と、前部材と後部材を連結する連結部とからなり、
前部材には、前記把持アームと連係する連係部が形成され、
後部材には、前記収納凹部が形成されていることを特徴とする請求項３記載の振動時ロック装置。
【請求項５】
前部材及び後部材は、断面が略矩形状に形成され、
前記収納凹部は、後部材の各面に形成されており、
前記ケースには、摺動部材を回動不能かつ前後方向のみ摺動可能となるように収容する断面略矩形状の摺動室が形成され、
後部材の各面に対応する摺動室の各壁面は、ロック装置本体の家具本体への取付位置によって底面となり、転動体を所定位置まで導く傾斜面が形成されていることを特徴とする請求項４記載の振動時ロック装置。
【請求項６】
扉又は引き出しと家具本体の前記ロック装置本体が取り付けられていない他方に取り付けられる係止体を有し、
係止体は、摺動部材を弾性部材の弾性に抗して後方に押し込み、且つ、閉じられる把持アームによって保持される形状で構成されていることを特徴とする請求項１乃至５の何れか１項に記載の振動時ロック装置。
【発明の詳細な説明】
【技術分野】
【０００１】
本願発明は、開閉する扉又は引き出しを備えた家具に設けられ、地震等の振動時に、閉塞状態の扉又は引き出しをロックして開放を規制する振動時ロック装置に関する。
【背景技術】
【０００２】
従来、扉の開閉をロックするロック装置は、開閉する扉を備えた家具本体に設けられ、扉に取り付けられる係止体と、家具本体に取り付けられるロック装置本体とからなる。ロック装置本体は、前部が開口されたケースと、ケース内の前後方向を摺動する摺動部材と、摺動部材を開口側に付勢する弾性部材と、摺動部材と連係しており、摺動部材が前方に摺動すると開いて係止体を開放し、摺動部材が後方に摺動すると閉じて係止体を保持する一対の把持アームとを備えている。摺動部材は、摺動部材に設けられた係合片が、ケースに形成された案内路に案内され、摺動部材が前方に摺動して一対の把持アームを開いた状態の時と、摺動部材が後方に摺動して一対の把持アームを閉じた状態の時に位置決めされる（例えば、特許文献１、２）。
【０００３】
上記従来のロック装置は、いわゆるプッシュラッチと言われ、扉を閉めると、扉に設けられた係止体が、家具本体に設けられたロック装置本体の摺動部材を弾性部材の弾性に抗して押し込む。摺動部材が押し込まれると、開いていた一対の把持アームが閉じて係止体を保持する。摺動部材は、一対の把持アームが閉じた状態の位置で位置決めされる。この状態の時、扉は、扉側の係止体が家具本体側のロック装置本体に保持されているので、開くことができない。この状態の時にさらに扉を押すと、摺動部材の係止状態が解除され、摺動部材が弾性部材によって押し出される。摺動部材が押し出されると、閉じていた一対の把持アームが開いて係止体を開放する。このようにして扉は開くことができる。
【特許文献１】実公平２−２８５７号公報
【特許文献２】特許第２８００６４６号公報
【発明の開示】
【発明が解決しようとする課題】
【０００４】
上記従来のロック装置は、扉の閉塞時において、扉に設けられた係止体が、家具本体に設けられたロック装置本体の一対の把持アームによって保持されている。この状態の時に振動が発生すると、扉の開く方向への揺れに対しては扉が開くことはない。しかし、扉の閉じる方向へ揺れると、扉が押される形となり、摺動部材の係止状態が解除され、摺動部材が弾性部材によって押し出される。摺動部材が押し出されると、閉じていた一対の把持アームが開いて係止体が開放され、扉が開いてしまう。振動時に扉が開放されると、家具本体内に収納されている物が飛び出てしまうことになる。このように、従来のいわゆるプッシュラッチ式ロック装置は、扉を閉めている状態の時に、地震等の振動が発生した場合、扉が開いてしまうという問題点があった。
【０００５】
本願発明は、上記問題点に鑑み案出したものであって、地震等の振動が発生した場合、転動部材が摺動部材の摺動をロックして、閉塞された扉又は引き出しの開放を確実に阻止することができる振動時ロック装置を提供することを目的とする。
【課題を解決するための手段】
【０００６】
本願請求項１に係る振動時ロック装置は、上記目的を達成するため、開閉する扉又は引き出しを備えた家具本体の閉塞時の扉又は引き出しを振動時に開放不能にロックする振動時ロック装置であって、ロック装置本体は、扉又は引き出しと家具本体のどちらか一方に取り付けられ、前部に開口が形成されたケースと、ケース内の前後方向を摺動する摺動部材と、摺動部材を開口側に付勢する弾性部材と、摺動部材と連係しており、摺動部材が前方に摺動すると開き、摺動部材が後方に摺動すると閉じる把持アームと、ケースの底面上を転動する転動体とを有し、ケースの底面には、非振動時に転動体が摺動部材の摺動を阻止しないようにして静止する所定位置と、振動時に転動体が所定位置から移動して摺動部材の摺動を阻止し、非振動時に転動体を所定位置まで導く傾斜面とが形成されていることを特徴とする。
【０００７】
本願請求項２に係る振動時ロック装置は、上記目的を達成するため、転動体は、摺動部材が前方に摺動している時、摺動部材に案内されて移動不能となっており、摺動部材が後方に摺動している時、摺動部材から外れて移動可能となるように構成されていることを特徴とする。
【０００８】
本願請求項３に係る振動時ロック装置は、上記目的を達成するため、転動体は、摺動部材が前方に摺動している時、摺動部材に形成された収納凹部に収納されて移動不能となっており、摺動部材が後方に摺動している時、摺動部材の収納凹部から外れて移動可能となるように構成されていることを特徴とする。
【０００９】
本願請求項４に係る振動時ロック装置は、上記目的を達成するため、摺動部材は、前部材と、後部材と、前部材と後部材を連結する連結部とからなり、前部材には、前記把持アームと連係する連係部が形成され、後部材には、前記収納凹部が形成されていることを特徴とする。
【００１０】
本願請求項５に係る振動時ロック装置は、上記目的を達成するため、前部材及び後部材は、断面が略矩形状に形成され、前記収納凹部は、後部材の各面に形成されており、前記ケースには、摺動部材を回動不能かつ前後方向のみ摺動可能となるように収容する断面略矩形状の摺動室が形成され、後部材の各面に対応する摺動室の各壁面は、ロック装置本体の家具本体への取付位置によって底面となり、転動体を所定位置まで導く傾斜面が形成されていることを特徴とする。
【００１１】
本願請求項６に係る振動時ロック装置は、上記目的を達成するため、扉又は引き出しと家具本体の前記ロック装置本体が取り付けられていない他方に取り付けられる係止体を有し、係止体は、摺動部材を弾性部材の弾性に抗して後方に押し込み、且つ、閉じられる把持アームによって保持される形状で構成されていることを特徴とする。
【発明の効果】
【００１２】
本願発明に係る振動時ロック装置は、扉又は引き出しを閉めると、扉又は引き出しと家具本体のどちらか他方に設けられた係止体が摺動部材を弾性部材の弾性に抗して後方に摺動させる。摺動部材が後方に摺動すると、摺動部材と連動して把持アームが閉じ、係止体を保持する。扉又は引き出しを開けると、摺動部材が弾性部材の弾性によって前方に摺動し、摺動部材と連動する把持アームが開いて係止体が解放される。本願発明に係る振動時ロック装置は、非振動時（平常時）には、転動体が摺動部材の摺動を阻止しない所定位置で静止しているが、振動時（地震時）には転動体が所定位置（静止位置）から移動して摺動部材の摺動を阻止する。このように、本願発明に係る振動時ロック装置は、非振動時（平常時）においては、プッシュラッチとして使用することができ、振動時（地震時）においては、閉塞時の扉又は引き出しを開放不能にロックすることができるという効果がある。
【００１３】
本願発明に係る振動時ロック装置は、摺動部材が前方に摺動している時、即ち把持アームが開いている時、転動体が摺動部材に案内されて移動不能となっているので、振動時（地震時）にあっても、摺動部材が後方に摺動できる。また、摺動部材が後方に摺動している時、即ち把持アームが閉じている時、転動体が摺動部材から外れて移動可能となっているので、振動時（地震時）においては、転動体が移動して摺動部材の前方へ摺動を阻止できる。このように本願発明に係る振動時ロック装置は、振動時（地震時）においては、扉又は引き出しの開放を確実にロックすることができるという効果がある。
【００１４】
本願発明に係る振動時ロック装置は、摺動部材が前方に摺動している時、即ち把持アームが開いている時、転動体が摺動部材に形成された収納凹部に収納されて移動不能となっているので、振動時（地震時）にあっても、摺動部材が後方に摺動できる。また、摺動部材が後方に摺動している時、即ち把持アームが閉じている時、転動体が摺動部材の収納凹部から外れて移動可能となっているので、振動時（地震時）においては、転動体が移動して摺動部材の前方へ摺動を阻止できる。このように本願発明に係る振動時ロック装置は、振動時（地震時）においては、扉又は引き出しの開放を確実にロックすることができるという効果がある。
【００１５】
本願発明に係る振動時ロック装置は、摺動部材の断面が略矩形状に形成され、前面及び後面を除く各面に転動体を収納する前記収納凹部が形成され、また、摺動部材を前後方向のみ摺動可能となるように収容する断面略矩形状の摺動室の各壁面に転動体を所定位置まで導く傾斜面が形成されている。従って、本願発明に係る振動時ロック装置は、ロック装置本体の家具本体、扉又は引き出しへの取付位置によって、摺動部材の前記各面が収納凹部を備えた下面となり、前記各壁面が傾斜面を備えた底面となるので、取付位置を限定することなく自由に選択することができるという効果がある。
【発明を実施するための最良の形態】
【００１６】
本願発明に係る振動時ロック装置の一つの実施の形態を図１乃至図１８に基づいて説明する。図１は、振動時ロック装置の全体斜視図であって、（ａ）が上方から視た全体斜視図、（ｂ）が下方から視た全体斜視図である。図２は、図１の振動時ロック装置の全体分解斜視図である。図３は、図２の各部品を組み込んだ状態を示す斜視図である。図４は、係止装置の説明図であって、（ａ）が分解斜視図、（ｂ）が組立斜視図である。図５は、平常時の動作原理を示す図であって、（ａ）が扉の閉塞前の状態を示す平面図、（ｂ）が扉の閉塞前の状態を示す側面断面図である。図６は、平常時の動作原理を示す図であって、（ａ）が扉の閉塞中の状態を示す平面図、（ｂ）が扉の閉塞中の状態を示す側面断面図である。図７は、平常時の動作原理を示す図であって、（ａ）が扉の閉塞後の状態を示す平面図、（ｂ）が扉の閉塞後の状態を示す側面断面図である。
【００１７】
図８は、振動時の動作原理を示す図であって、（ａ）が扉の閉塞後の状態を示す平面図、（ｂ）が扉の閉塞後の状態を示す側面断面図である。図９は、振動時の動作原理を示す図であって、（ａ）が扉の閉塞中の状態を示す平面図、（ｂ）が扉の閉塞中の状態を示す側面断面図である。図１０は、振動時の動作原理を示す図であって、（ａ）が扉のロック状態を示す平面図、（ｂ）が扉のロック状態を示す側面断面図である。図１１は、振動時の動作原理を示す図であって、（ａ）が扉のロック解除を示す平面図、（ｂ）が扉のロック解除を示す側面断面図である。図１２は、振動時の転動体の動きを説明する平面図である。
【００１８】
図１３は、摺動部材の位置決めの動作原理を示す図であって、（ａ）は摺動部材が把持アームの開いた位置で位置決めされている平面図、（ｂ）は摺動部材が押し込まれた状態の平面図、（ｃ）は摺動部材が把持アームの閉じた位置で位置決めされている平面図、（ｄ）は摺動部材がさらに押し込まれた状態の平面図である。図１４は、ケース本体の説明図である。図１５は、振動時ロック装置の組立状態を示す斜視図である。図１６は、把持アームの動作を説明する平面図である。図１７は、振動時ロック装置の使用形態を示す断面図である。図１８は、振動時ロック装置の使用形態を示す斜視図である。
【００１９】
振動時ロック装置１は、開閉する扉Ｄ又は引き出しを備えた家具本体Ａの閉塞時の扉Ｄ又は引き出しを振動時に開放不能にロックすることができるものである。振動時ロック装置１のロック装置本体１０は、扉Ｄ又は引き出しと家具本体Ａのどちらか一方に取り付けられる。ロック装置本体１０は、前部に開口２１が形成されたケース１１と、ケース１１内の前後方向を摺動する摺動部材７０と、摺動部材７０を開口２１側に付勢する弾性部材９４と、摺動部材７０と連係しており、摺動部材７０が前方に摺動すると開き、摺動部材７０が後方に摺動すると閉じる把持アーム１１０，１１０と、非振動時には摺動部材７０の摺動を阻止しない所定位置で静止しており、振動時には所定位置から移動して摺動部材７０の摺動を阻止する転動体５０とを有する。
【００２０】
振動時ロック装置１は、扉Ｄ又は引き出しを閉めると、扉Ｄ又は引き出しと家具本体Ａのどちらか他方に設けられた係止体１２５が摺動部材７０を弾性部材９４の弾性に抗して後方に摺動させる。摺動部材７０が後方に摺動すると、摺動部材７０と連動して把持アーム１１０，１１０が閉じ、係止体１２５を保持する。扉Ｄ又は引き出しを開けると、摺動部材７０が弾性部材９４の弾性によって前方に摺動し、摺動部材７０と連動する把持アーム１１０，１１０が開いて係止体１２５が解放される。振動時ロック装置１は、非振動時（平常時）には、転動体５０が摺動部材７０の摺動を阻止しない位置で静止しているが、振動時（地震時）には転動体５０が所定位置（静止位置）から移動して摺動部材７０と係合し、摺動部材７０の摺動を阻止する。このように、振動時ロック装置１は、非振動時（平常時）においては、プッシュラッチとして使用することができ、振動時（地震時）においては、閉塞時の扉Ｄ又は引き出しを開放不能にロックすることができる。
【００２１】
振動時ロック装置１は、摺動部材７０が前方に摺動している時、即ち把持アーム１１０，１１０が開いている時、転動体５０が摺動部材７０に案内されて移動不能となっているので、振動時（地震時）にあっても、摺動部材７０が後方に摺動できる。また、摺動部材７０が後方に摺動している時、即ち把持アーム１１０，１１０が閉じている時、転動体５０が摺動部材７０から外れて移動可能となっているので、振動時（地震時）においては、転動体５０が移動して摺動部材７０の前方へ摺動を阻止できる。このように振動時ロック装置１は、振動時（地震時）においては、扉Ｄ又は引き出しの開放を確実にロックすることができる。
【００２２】
振動時ロック装置１は、摺動部材７０が前方に摺動している時、即ち把持アーム１１０，１１０が開いている時、転動体５０が摺動部材７０に形成された収納凹部９１に収納されて移動不能となっているので、振動時（地震時）にあっても、摺動部材７０が後方に摺動できる。また、摺動部材７０が後方に摺動している時、即ち把持アーム１１０，１１０が閉じている時、転動体５０が摺動部材７０の収納凹部９１から外れて移動可能となっているので、振動時（地震時）においては、転動体５０が移動して摺動部材７０の前方へ摺動を阻止できる。このように振動時ロック装置１は、振動時（地震時）においては、扉Ｄ又は引き出しの開放を確実にロックすることができる。
【００２３】
摺動部材７０は、前部材７１と、後部材７２と、前部材７１と後部材７２を連結する連結部（連結軸）７３とからなる。前部材７１には、前記把持アーム１１０，１１０と連係する連係部８３が形成されている。後部材７２には、前記収納凹部９１が形成されている。
【００２４】
前部材７１及び後部材７２は、断面が略矩形状に形成されている。前記収納凹部９１は、後部材７２の各面７７、７８、７９、８０に形成されている。前記ケース１１には、摺動部材７０を回動不能かつ前後方向のみ摺動可能となるように収容する断面略矩形状の摺動室２５が形成されている。後部材７２の各面８７、８８、８９、９０に対応する摺動室２５の各壁面２０、１３、２６、２７は、ロック装置本体１０の家具本体Ａへの取付位置によって底面となり、転動体５０を所定位置まで導く傾斜面４３，４４，４５が形成されている。従って、振動時ロック装置１は、ロック装置本体１０の家具本体Ａ、扉Ｄ又は引き出しへの取付位置によって、摺動部材７０の前記各面８７、８８、８９、９０が収納凹部９１を備えた下面となり、前記各壁面２０、１３、２６、２７が傾斜面４３，４４，４５を備えた底面となるので、取付位置を限定することなく自由に選択することができる。
【００２５】
扉Ｄ又は引き出しと家具本体Ａの前記ロック装置本体１０が取り付けられていない他方に取り付けられる係止体１２５は、摺動部材７０を弾性部材９４の弾性に抗して後方に押し込み、且つ、閉じられる把持アーム１１０，１１０によって保持される形状で構成されている。
【００２６】
さらに振動時ロック装置１について詳細に説明する。振動時ロック装置１は、開閉する扉Ｄを備えた家具本体Ａの閉塞時の扉Ｄを、地震等の振動時に開放不能にロックするものである。図１に示すように、振動時ロック装置１は、ロック装置本体１０と、係止装置１２０とからなる。ロック装置本体１０は、ケース１１を有する。図２に示すように、ケース１１は、ケース本体１２と、ケース本体１２の上部を塞ぐ蓋体２０とからなる。ケース本体１２は、底壁１３と、右壁１５と、左壁１６と、後壁１７と、前壁１９とからなり、上部が開放された箱状に形成されている。前壁１９は、切り欠かれて開口２１が形成されている。前記蓋体２０は、ケース本体１２の上部に係止爪、ネジ等によって着脱可能に取り付けられ、ケース本体１２に上壁を構成する。
【００２７】
ケース本体１２には、後部側に形成された摺動室２５と、前部側に形成された把持室６０を有する。摺動室２５は、右側壁２６と、左側壁２７と、後側壁２９と、底壁１３と、蓋体２０によって構成されている。右側壁２６の前部（ケース本体１２の略中間部）は、切り欠かれて切り欠き部３１が形成されており、切り欠き部３１両側に係合溝３２、３２が形成されている。左側壁２７の前部（ケース本体１２の略中間部）も、切り欠かれて切り欠き部３３が形成されており、切り欠き部３３両側に係合溝３５、３５が形成されている（図１４参照）。
【００２８】
前記右側の係合溝３２，３２には、ガイド板４０の両側に形成された係合縁４１，４１が係合して、ガイド板４０が取り付けられている。ガイド板４０には、右側壁２６の内面（摺動室２５内側の面）と同じ側となるガイド面４２が形成されている。ガイド面４２は、３つの稜線によって仕切られる３つの傾斜面４３，４４，４５によって形成され、稜線の交点４６が一番深くなっており、傾斜面４３，４４，４５が交点４６に向かって下降傾斜するように構成されている。
【００２９】
ガイド面４２には、三角状突起４８，４９が突設されている。一方の三角状突起４８は、ガイド面４２の中心上前部に設けられ、頂点が交点（深点）４６側に向いている。他方の三角状突起４９は、ガイド面４２の中心上後部に設けられ、頂点が交点（深点）４６側に向いている。一方の三角状突起４８と他方の三角状突起４９は、対向して配置され、一方の三角状突起４８の方が他方の三角状突起４９より高く突出している。
【００３０】
左側の係合溝３５，３５にも、同様に、ガイド板４０の両側に形成された係合縁４１，４１が係合して、ガイド板４０が取り付けられている。ガイド板４０のガイド面４２は、左側壁２７の内面（摺動室２５内側の面）と同じ側となる。前記右側壁２６側のガイド板４０のガイド面４２と左側壁２７側のガイド板４０のガイド面４２は、対向する位置に設定される。
【００３１】
図１４及び図２に示すように、摺動室２５の底面５１（底壁１３の上面）及び摺動室２５の上面５２（蓋体２０の下面２０ａ）にも前記ガイド面４２が形成されている。前記底面５１のガイド面４２と前記上面５２のガイド面４２は、対向する位置に設定される。さらに、底面５１のガイド面４２と、上面５２のガイド面４２と、前記右側壁２６側のガイド板４０のガイド面４２と、左側壁２７側のガイド板４０のガイド面４２は、略同じ位置に設定されている。
【００３２】
図１４及び図２に示すように、摺動室２５の底面５１（底壁１３の上面）と摺動室２５の上面５２（蓋体２０の下面２０ａ）には、仕切り板５３，５５が形成されている。底壁１３の上面に設けられた仕切り板５３は、ガイド面４２の前部近傍に設けられている。同様に、蓋体２０の下面２０ａに設けられた仕切り板５５は、ガイド面４２の前部近傍に設けられている。仕切り板５５の下端と仕切り板５３の上端は、蓋体２０をケース本体１２に取り付けることによって接合し、仕切り板５５，５３によって摺動室２５を仕切ることになる。仕切り板５５の下端と仕切り板５３の上端には、切り欠き５６，５７が形成され、上記したように仕切り板５５の下端と仕切り板５３の上端が接合すると、切り欠き５６，５７によって軸受け穴５９が形成される。切り欠き５６，５７は、半円状に形成されているが、この形状に限定されるものでないことは勿論である。
【００３３】
把持室６０は、摺動室２５の前部から開口２１に向かって拡開するように形成された右傾斜壁６０ａ及び左傾斜壁６０ｂと、底壁１３と、蓋体２０とによって構成されている。把持室６０の底面６１（底壁１３の上面）と把持室６０の上面６２（蓋体２０の下面２０ａ）の略中心線上には、開口２１側に向かってガイド溝６３，６５が形成されている。また、把持室６０の底面６１（底壁１３の上面）には、前記ガイド溝６３を挟んで両側に右軸受け穴６６と左軸受け穴６７が形成されている。また、把持室６０の上面６２（蓋体２０の下面２０ａ）には、前記ガイド溝６５を挟んで両側に右軸受け穴６８と左軸受け穴６９が形成されている。
【００３４】
摺動室２５内には、摺動部材７０が前後方向に向かって摺動可能に設けられている。摺動部材７０は、前部材７１と、後部材７２と、前部材７１と後部材７２を連結する円軸状の連結軸（連結部）７３とからなる。前部材７１は、立方体形状に形成され、前面７５と、後面７６と、上面７７と、下面７８と、右面７９と、左面８０とからなる。前面７５には、上下方向に伸びる半円状の受け凹部８１が形成されている。上面７７には、前記蓋体２０の下面２０ａに形成されたガイド溝６５に係合して案内される係合突起８２が形成されている。下面７８には、前記底面６１（底壁１３の上面）に形成されたガイド溝６３に係合して案内される係合突起８４が形成されている。また、前部材７１は、後方各角部に係合段凹部８３が形成されている。当該係合段凹部８３が、一対の把持アーム１１０の連係部を形成する。
【００３５】
後部材７２は、直方体形状に形成され、前面８５と、後面８６と、上面８７と、下面８８と、右面８９と、左面９０とからなる。上面８７、下面８８、右面８９及び左面９０の前方中間部には、前面８５まで連通する収納凹部９１が形成されている。下面８８の後部には、後面８６と連通するバネ収容凹部９２が形成され、当該バネ収容凹部９２にバネ  ９４が収容される。
【００３６】
上面８７の後部には、軸穴９３が形成され、軸穴９３に係合片９５の支軸９６が回動可能に取り付けられる。係合片９５は、縦長に形成され、長手方向両端に係合部９７，９７が形成されている。前記係合片９５は、蓋体２０の下面２０ａに形成された案内路１００に案内される。案内路１００は、係合片９５を縦長状態で案内する前部案内部１０１と、係合片９５を回転可能に案内する後部案内部１０２を有する。後部案内部１０２には、後部突起１０３と前部突起１０５が形成されている。
【００３７】
把持アーム１１０は、アーム本体１１１と、アーム本体１１１の先端内側に突設された保持縁１１２と、アーム本体１１１の後部上下位置に設けられた固定軸１１３と、アーム本体１１１の後端に設けられた一対の係合突起１１５，１１５とからなる。保持縁１１２には、切り欠き１１６が形成されている。また、アーム本体１１１の内面には、略三角状のガイド突起１１７が設けられている。一対の把持アーム１１０，１１０の保持縁１１２，１１２が接合すると、一対の切り欠き１１６，１１６によって挿通孔１１９が形成される。切り欠き１１６は、半円状に形成されているが、この形状に限定されるものでないことは勿論である。
【００３８】
扉Ｄに係止装置１２０が取り付けられる。図4に示すように、係止装置１２０は、基板１２１と、基板１２１に回動可能に取り付けられる係止体１２５とからなる。基板１２１は、ネジを挿通するネジ挿通孔１２２，１２２を有し、上端に取付軸１２３が設けられている。係止体１２５は、軸部１２６と、軸部１２６の先端に形成された係止突起１２７と、軸部１２６の後端に形成された軸受けボス１２８とからなる。軸受けボス１２８には、断面略Ｃ字状の軸挿通孔１２９が形成されている。また、軸受けボス１２８には、軸部１２６の軸方向と直角となる垂直面１３０が形成されている。
【００３９】
ロック装置本体１０は、以下のようにして組み立てられる。ケース本体１２の右側壁２６の切り欠き部３１と、左側壁２７の切り欠き部３３にガイド板４０，４０を取り付ける。底壁１３のガイド面４２にボール５０を載せる。ボール５０は、傾斜面４３，４４，４５により、所定位置となる交点（深点）４６で静止する。
【００４０】
前部材７１の係合段凹部８３，８３に把持アーム１１０の係合突起１１５，１１５を係合させ、後部材７２のバネ収容凹部９２内にバネ９４を収容し、バネ９４を撓めるようにして、摺動部材７０を摺動室２５内に装着する。後部材７２の下面８８に形成された収納凹部９１内にボール５０が収納され、連結軸（連結部）７３が仕切り板５３の切り欠き５７に軸受けされ、前部材７１の下面７８に形成された係合突起８４が底壁１３のガイド溝６３に摺動可能に係合する。さらに、右側の把持アーム１１０の固定軸１１３が底壁１３の右軸受け穴６６に回動可能に取り付けられ、左側の把持アーム１１０の固定軸１１３が底壁１３の左軸受け穴６７に回動可能に取り付けられる。摺動部材７０は、バネ９４の後端が摺動室２５の後側壁２９に圧接するので、後部材７２の前面８５が仕切り板５３に圧接する。
【００４１】
後部材７２の上面８７に形成された軸穴９３に係合片９５の支軸９６を回動可能に差し込んで、ケース本体１２に蓋体２０を取り付ける。前記係合片９５が蓋体２０の下面２０ａに形成された案内路１００の前部案内部１０１に配置される。蓋体２０の仕切り板５５がケース本体１２の仕切り板５３に当接し、この当接によって形成される軸受け穴５９内を摺動部材７０の連結軸（連結部）７３が挿通する。前部材７１の上面７７に形成された係合突起８２が蓋体２０のガイド溝６５に摺動可能に係合する。このようにしてロック装置本体１０は、組み立てられ、把持室６０内に一対の把持アーム１１０，１１０が収納される。ロック装置本体１０は、図５（ｂ）に示すように、家具本体Ａの上壁Ａ１に、ネジ等により取り付けられる。
【００４２】
係止装置１２０は、図４（ａ）に示すように、基板１２１の取付軸１２３を係止体１２５の軸挿通孔１２９に挿通して組み立てられる。係止装置１２０は、図５に示すように、基板１２１をネジ等により扉Ｄに固定して、扉Ｄに取り付けられる。係止体１２５は、垂直面１３０が扉Ｄの面に当接し、軸部１２６の軸方向が略水平となる。
【００４３】
次に動作について説明する。図５は、平常時に扉Ｄが開いている状態の図である。この状態の時、摺動部材７０は、バネ９４により前方（開口２１側）に付勢されて押し出されており、後部材７２の前面８５が仕切り板５３，５５に圧接している。図１３（ａ）に示すように、係合片９５は、案内路１００の前部案内部１０１に位置しており、長手方向が前後方向を向いている。後部材７２の下面８８に形成された収納凹部９１内にボール５０が収納されている。
【００４４】
把持アーム１１０は、これの係合突起１１５が前部材７１の係合段凹部８３に係合しており、摺動部材７０が前方に移動しているので、固定軸１１３を中心として開く方向に回動している。即ち、一対の把持アーム１１０，１１０は、開いた状態となっている。この状態の時、地震等の振動が発生しても、ボール５０が収納凹部９１に収納されているので、摺動部材７０の動きは規制されることはない。
【００４５】
図６に示すように、平常時に扉Ｄを閉じると、扉Ｄに設けられた係止体１２５の係止突起１２７が前部材７１の受け凹部８１に当接して、摺動部材７１をバネ９４の弾性に抗して押し込む（後方に移動させる）。摺動部材７１は、前部材７１の係合突起８２，８４が、蓋体２０のガイド溝６５とケース本体１２の底壁１３に形成されたガイド溝６３に案内されるため、左右方向に位置がずれることなく前後方向のみ摺動する。
【００４６】
図１３（ｂ）に示すように、係合片９５は、案内路１００の後部案内部１０２に移動し、後部突起１０３に当接して回転し、長手方向が前後方向と略直角の方向を向く。後部材７２の下面８８に形成された収納凹部９１内からボール５０が出ることになり、ガイド面４２上を転動可能となる。なお、振動が発生していないので、ボール５０は、ガイド面４２の交点（深点）４６の所定位置で静止している。
【００４７】
右側の把持アーム１１０は、これの係合突起１１５が前部材７１の係合段凹部８３から外れ、前部材７１の右面７９に当接し、固定軸１１３を中心として閉じる方向に回動する。右側の把持アーム１１０も、これの係合突起１１５が前部材７１の係合段凹部８３から外れ、前部材７１の左面８０に当接し、固定軸１１３を中心として閉じる方向に回動する。即ち、左右一対の把持アーム１１０，１１０は、閉じた状態となっている。
【００４８】
左右一対の把持アーム１１０，１１０は、保持縁１１２同士が接合し、一対の把持アーム１１０，１１０によって係止体１２５の係止突起１２７を保持する。なお、係止体１２５の軸部１２６は、一対の把持アーム１１０，１１０の保持縁１１２，１１２が接合することによって形成される挿通孔１１９を挿通している。この状態の時、地震等の振動が発生すると、ボール５０が収納凹部９１に収納されていないので、ボール５０がガイド面４２上を転動し、摺動部材７０の動きを規制することが可能となる。
【００４９】
図７に示すように、平常時に扉Ｄを押し込んでから離すと、バネ９４の弾性により摺動部材７０が前方に摺動する。図１３（ｃ）に示すように、係合片９５は、長手方向が前後方向と略直角の方向を向いているので、後部案内部１０２の前部突起１０５に係合する。摺動部材７０は、係合片９５が後部案内部１０２の前部突起１０５に係合するので、前方へ摺動しなくなる。この状態は、図６と同じ状態であり、後部材７２の下面８８に形成された収納凹部９１内からボール５０が出ており、左右一対の把持アーム１１０，１１０が、係止体１２５の係止突起１２７を保持して、閉じた状態となっている。この状態は、振動時ロック装置が扉Ｄを閉じた状態で保持（閉止）している状態である。
【００５０】
図７の、振動時ロック装置が扉Ｄを閉じた状態で保持（閉止）している状態から、この保持状態を解除するには、再度、扉Ｄを押し込めば良い。摺動部材７０は、バネ９４の弾性に抗して後方に摺動する。図１３（ｄ）に示すように、係合片９５は、前部突起１０５から外れて案内路１００の後部案内部１０２内を移動し、後部突起１０３に当接して回転し、長手方向が前後方向に向く。扉Ｄの押す操作を解除すると。バネ９４の弾性により摺動部材７０が前方に摺動して、図５の状態に復帰することになる。なお、図１６に示すように、摺動部材７０が前方に摺動すると、前部材７１の前面７５が把持アーム１１０、１１０のガイド突起１１７、１１７に係合して、把持アーム１１０，１１０を開く方向に回動させ、係合突起１１５，１１５を前部材７１の係合段凹部８３，８３に確実に係合させることができる。このように、扉Ｄは、一旦押すと係止体１２５がロック装置本体１０によって保持され、されに押すと係止体１２５がロック装置本体１０から外れることになる。
【００５１】
図７に示す、振動時ロック装置が扉Ｄを閉じた状態で保持（閉止）している状態において、地震等の振動が発生すると、図８に示すように、ボール５０が静止している所定位置（深点４６）から外れる。ボール５０は、振動の振幅状態に応じて左右方向に転動したり、前後方向に転動する。ボール５０は、前後方向に転動すると、三角状突起４８，４９の頂点を挟む両側面によって左右に送られる。このように、ボール５０は、静止位置から外れると、摺動部材７０の収納凹部９１内に収納されなくなるので、摺動部材７０の前方への動きを規制する。
【００５２】
振動が発生し、ボール５０が静止位置から外れた状態で、図９に示すように、振動により扉Ｄが押し込まれる方向に回動すると、摺動部材７０が、バネ９４の弾性に抗して後方に摺動して、前述したのと同様に、係合片９５が前部突起１０５から外れる。従って、図１０に示すように、摺動部材７０がバネ９４の弾性により前方に摺動しようとするが、ボール５０が仕切り板５３，５５と後部材７２の前面８５に挟み込まれて、摺動部材７０の元の状態への復帰（前方への移動）を阻止する。摺動部材７０が前方に移動しないので、把持アーム１１０，１１０が開くことはなく、そのため、係止体１２５の係止突起１２７が一対の把持アーム１１０，１１０に保持されたままである。このように、扉Ｄが閉じた状態の時に地震等の振動が発生すると、ボール５０によって摺動部材７０がロックされ、扉Ｄの開放が規制される。
【００５３】
振動が終了したとき、即ち平常時になった時に扉Ｄを押すと、摺動部材７０がバネ９４の弾性に抗して後方に摺動するので、ボール５０が仕切り板５３，５５と後部材７２の前面８５の挟持状態が解除されて、ボール５０が所定位置（深点４６）に戻って静止する。ボール５０が静止した所定位置（深点４６）においては、摺動部材７０の元への復帰が可能となり、バネ９４の弾性により摺動部材７０が前方に摺動して、図５の状態に復帰することになる。
【００５４】
図５に示す状態の時に、地震等の振動が発生すると、ボール５０が収納凹部９１に収納されているので、一対の把持アーム１１０，１１０は、開いた状態のままである。振動に気が付いて扉Ｄを閉じると、前述したように、摺動部材７０が後方に移動して係止体１２５を一対の把持アーム１１０，１１０が保持し、摺動部材７０がロックされる。
【００５５】
振動時ロック装置１は、図１８に示すように、取付箇所を限定されず、自由に選んで家具本体Ａに取り付けることができる。例えば、図１７に示すように、家具本体Ａの上壁Ａ１に取り付けた場合、ケース本体１２の底壁１３が底面となって、底壁１３のガイド面４２上をボール５０が転動可能となり、後部材７２の下面８８に形成された収納凹部９１内にボール５０が収納可能となる。また、家具本体Ａの下壁Ａ２に取り付けた場合、蓋体２０が底面となって、蓋体２０のガイド面４２上をボール５０が転動可能となり、後部材７２の上面８７に形成された収納凹部９１内にボール５０が収納可能となる。さらに、家具本体Ａの右壁Ａ３に取り付けた場合、ケース本体１２の左側壁２７が底面となって、左側壁２７に設けられたガイド板４０のガイド面４２上をボール５０が転動可能となり、後部材７２の左面９０に形成された収納凹部９１内にボール５０が収納可能となる。さらにまた、家具本体Ａの左壁Ａ４に取り付けた場合、ケース本体１２の右側壁２６が底面となって、右側壁２６に設けられたガイド板４０のガイド面４２上をボール５０が転動可能となり、後部材７２の右面８９に形成された収納凹部９１内にボール５０が収納可能となる。
【００５６】
従来の振動時ロック装置は、振動感知部の構造上、上下反転や横倒しで取り付けることができないので、取付方向や取付位置が限定される。しかし、振動時ロック装置１は、上記したように、上下反転や横倒しで取り付けることができるので、取付方向や取付位置が限定されることがない。また、扉Ｄの閉塞時に扉Ｄに強い開放力がかかっても、ケース本体１２に回動可能に取り付けられた一対の把持アーム１１０，１１０によってその開放力を受け止めるので、位置決めに利用している係合片９５に負荷がかからず、係合片９５の破損を防止することができる。
【００５７】
また、振動時ロック装置１は、把持アーム１１０，１１０がケース本体１２内に収納されているので、従来の剥き出し状態のものと比べて、接触したり、ぶつかったりすることがなく、安全で非常に壊れにくいものとなっている。振動時ロック装置１は、１個の転動体５０とガイド面４２との組み合わせによる振動感知部を１カ所に設けたが、この振動感知部を前後に複数配置すれば、振動検知力が向上し、ロックの信頼性が向上する。振動時ロック装置１は、プッシュラッチ機構とロック機構がケース１１内に収納されているため、部品点数を低減でき、コンパクトにすることができる。なお、振動時ロック装置１は、係合片９５を外すと、耐震ラッチとなり、ボール５０を外すとプッシュラッチとなるので、用途に応じた仕様の構成にすることが簡単にできる。なお、上記実施の形態において、家具とは、タンス、机、収納庫、書棚、吊り戸棚、キャビネット、ワゴン等の収納部を備えたものの総称である。また、扉には、回転式扉とスライド式扉が含まれるのは勿論である。
【産業上の利用可能性】
【００５８】
本発明に係る振動時ロック装置は、押す動作で家具の扉又は引き出しを開閉するプッシュラッチ装置に利用可能である。
【図面の簡単な説明】
【００５９】
【図１】振動時ロック装置の全体斜視図である。
【図２】図１の振動時ロック装置の全体分解斜視図である。
【図３】図２の各部品を組み込んだ状態を示す斜視図である。
【図４】係止装置の説明図である。
【図５】平常時の動作原理を示す図である。
【図６】平常時の動作原理を示す図である。
【図７】平常時の動作原理を示す図である。
【図８】振動時の動作原理を示す図である。
【図９】振動時の動作原理を示す図である。
【図１０】振動時の動作原理を示す図である。
【図１１】振動時の動作原理を示す図である。
【図１２】振動時の転動体の動きを説明する平面図である。
【図１３】摺動部材の位置決めの動作原理を示す図である。
【図１４】ケース本体の説明図である。
【図１５】振動時ロック装置の組立状態を示す斜視図である。
【図１６】把持アームの動作を説明する平面図である。
【図１７】振動時ロック装置の使用形態を示す断面図である。
【図１８】振動時ロック装置の使用形態を示す斜視図である。
【符号の説明】
【００６０】
Ａ  家具本体
Ａ１  上壁
Ａ２  下壁
Ａ３  右壁
Ａ４  左壁
Ｄ  扉
１  振動時ロック装置
１０  ロック装置本体
１１  ケース
１２  ケース本体
１３  底壁
１５  右壁
１６  左壁
１７  後壁
１９  前壁
２０  蓋体
２０ａ  下面
２１  開口
２５  摺動室
２６  右側壁
２７  左側壁
２９  後側壁
３１  切り欠き部
３２  係合溝
３３  切り欠き部
３５  係合溝
４０  ガイド板
４１  係合縁
４２  ガイド面
４３  傾斜面
４４  傾斜面
４５  傾斜面
４６  交点（深点）
４８  三角状突起
４９  三角状突起
５０  ボール（転動体）
５１  底面
５２  上面
５３  仕切り板
５５  仕切り板
５６  切り欠き
５７  切り欠き
５９  軸受け穴
６０  把持室
６０ａ  右傾斜壁
６０ｂ  左傾斜壁
６１  底面
６２  上面
６３  ガイド溝
６５  ガイド溝
６６  右軸受け穴
６７  左軸受け穴
６８  右軸受け穴
６９  左軸受け穴
７０  摺動部材
７１  前部材
７２  後部材
７３  連結軸（連結部）
７５  前面
７６  後面
７７  上面
７８  下面
７９  右面
８０  左面
８１  受け凹部
８２  係合突起
８３  係合段凹部
８４  係合突起
８５  前面
８６  後面
８７  上面
８８  下面
８９  右面
９０  左面
９１  収納凹部
９２  バネ収容凹部
９３  軸穴
９４  バネ（弾性部材）
９５  係合片
９６  支軸
９７  係合部
１００  案内路
１０１  前部案内部
１０２  後部案内部
１０３  後部突起
１０５  前部突起
１１０  把持アーム
１１１  アーム本体
１１２  保持縁
１１３  固定軸
１１５  係合突起
１１６  切り欠き
１１７  ガイド突起
１１９  挿通孔
１２０  係止装置
１２１  基板
１２２  ネジ挿通孔
１２３  取付軸
１２５  係止体
１２６  軸部
１２７  係止突起
１２８  軸受けボス
１２９  軸挿通孔
１３０  垂直面
【図１】
0005154287.tif 000002
【図２】
0005154287.tif 000003
【図３】
0005154287.tif 000004
【図４】
0005154287.tif 000005
【図５】
0005154287.tif 000006
【図６】
0005154287.tif 000007
【図７】
0005154287.tif 000008
【図８】
0005154287.tif 000009
【図９】
0005154287.tif 000010
【図１０】
0005154287.tif 000011
【図１１】
0005154287.tif 000012
【図１２】
0005154287.tif 000013
【図１３】
0005154287.tif 000014
【図１４】
0005154287.tif 000015
【図１５】
0005154287.tif 000016
【図１６】
0005154287.tif 000017
【図１７】
0005154287.tif 000018
【図１８】
0005154287.tif 000019